(57)【要約】【課題】不使用時には平たいコンパクトな形態にしておくことができ、使用時には簡単な操作で立体化し万華鏡として楽しむことができる簡単な構造の折畳み型万華鏡を提供する。【解決手段】角型断面を呈するように折畳み可能な筒状本体と、角型断面を呈するように折畳み可能であり外面の所用範囲が前記筒状本体に接合された筒状鏡体と、前記筒状本体の長手方向先端部に連接されていて縁部に前記筒状本体の内面に添うように挿し込み可能な爪片を有する前端片と、筒状本体の長手方向後端部に連接されていて中央に覗き穴を、縁部に前記筒状本体の内面に添うように挿し込み可能な爪片を有する後端片とを備えている。前記前端片には、前記筒状鏡体の断面形状に即した切欠きを設けるとともに、所望の絵柄や模様などのオブジェクトを施した透光性材料からなる円盤を前記切欠き部位近傍に回転可能に支持させている。【選択図】図１
2004354926.tif 000002
【特許請求の範囲】
【請求項１】
起立した時に角型断面を呈するように折畳み可能な筒状本体と、内面に反射面を有し起立した時に角型断面を呈するように折畳み可能であり外面の所用範囲が前記筒状本体に接合された筒状鏡体と、前記筒状本体の長手方向先端部に屈折可能に連接され縁部に前記筒状本体の内面に添うように挿し込み可能な爪片を有する前端片と、前記筒状本体の長手方向後端部に屈折可能に連接され中央に覗き穴を有するととも縁部に前記筒状本体の内面に添うように挿し込み可能な爪片を有する後端片とを備え、前記前端片には、前記筒状鏡体の断面形状に即した切欠きを設けるとともに、所望の絵柄や模様などのオブジェクトを施した透光性材料からなる円盤を前記切欠き部位近傍に回転可能に支持させたことを特徴とする折畳み型万華鏡。
【請求項２】
前記筒状本体の外面にメッセージを記載可能な表示部を設けた請求項１に記載の折畳み型万華鏡。
【請求項３】
前記後端片は背後に透明な支持片を固着しており、該支持片に円盤の中心を回転可能に枢支させている請求項１に記載の折畳み型万華鏡。
【発明の詳細な説明】
【０００１】
【発明の属する技術分野】
本発明は折畳み型万華鏡に関する。
【０００２】
【従来の技術】
万華鏡は、覗くとシンメトリーな画像が映し出され、日常と離れた別世界を感得できることから広く愛好されている。
かかる万華鏡は、従来一般に、剛性筒内にガラス鏡を固定し、先端に対象物を取付けたものであったので、ボリュームが大きく、使わない時にもかさばるという問題があった。
【０００３】
【発明が解決しようとする課題】
本発明は前記のような問題点を解消するためになされたもので、その目的とするところは、不使用時には平たいコンパクトな形態にしておくことができ、使用時には簡単な操作で立体化し万華鏡として楽しむことができる簡単な構造の折畳み型万華鏡を提供することにある。
【０００４】
また、本発明の他の目的は、所望のメッセージを記載でき、クリスママスカードなどの万華鏡機能つきカードとしても使用できる万華鏡を提供することにある。
【０００５】
【課題を解決するための手段】
上記目的を達成するため本発明は、起立した時に角型断面を呈するように折畳み可能な筒状本体と、内面に反射面を有し起立した時に角型断面を呈するように折畳み可能であり外面の所用範囲が前記筒状本体に接合された筒状鏡体と、前記筒状本体の長手方向先端部に屈折可能に連接され縁部に前記筒状本体の内面に添うように挿し込み可能な爪片を有する前端片と、前記筒状本体の長手方向後端部に屈折可能に連接され中央に覗き穴を有するととも縁部に前記筒状本体の内面に添うように挿し込み可能な爪片を有する後端片とを備え、前記前端片には、前記筒状鏡体の断面形状に即した切欠きを設けるとともに、所望の絵柄や模様などのオブジェクトを施した透光性材料からなる円盤を前記切欠き部位近傍に回転可能に支持させたことを特徴としている。
【０００６】
また、本発明は、前記筒状本体の外面にメッセージを記載可能な表示部を設けたことを特徴としている。
【０００７】
前記後端片は背後に透明な支持片を固着しており、該支持片に円盤の中心を回転可能に枢支させている。
【０００８】
【発明の実施の形態】
以下、添付図面を参照して本発明の実施例を説明する。
図１ないし図８は本発明をクリスマスカード機能付きの折畳み型万華鏡に適用した実施例を示しており、図１ないし図３は使用状態を、図５と図６は使用前の折畳み状態を、図７は折畳み状態から使用状態に移行する過程をそれぞれ示している。
【０００９】
本発明の万華鏡は、折畳み自在な筒状本体１と、該筒状本体１の内側に固定され折畳み自在な筒状鏡体２と、筒状本体１の長手方向前端に屈折可能に連接された前端片３と、これに回転可能に支持された視覚対象物としての円盤４と、後端に屈折可能に連接された後端片５とを備えている。
【００１０】
筒状本体１は、図８のように、厚紙など折畳み可能でかつ不透光性のシート１００で作られ、立体化時に断面が正方形をなし、押圧したときに扁平６角形断面をなすように展開状のシート１００の２縁部１０１，１０１’を接着して作られている。
筒状本体１の各面の境界線は折り線１０５によって屈折自在となっており、この例では、さらに１組の対向する面部１ａ、１ｂには、幅方向中央に外拡開用の折り線１０２、１０２’が施されている。
【００１１】
前記筒状本体１の外面には、Ｍｅｒｒｙ  Ｃｈｒｉｓｔｍａｓなどの表示と、たとえばサンタクロースなど所望の絵柄等からなる装飾部６が印刷的手法などで施されており、さらに他面には、メッセージ表示部７が設けられている。このメッセージ表示部７には送り人欄や受取人欄を含めてもよい
【００１２】
筒状鏡体２は、内面を鏡面とした折畳み可能でかつ不透光性のシート２００で構成され、立体化時に断面が三角形をなし、押圧したときに異形４角形断面をなすように、図９の展開状のシート２００の２縁を接着するとともに、中間の辺部２ａの幅方向中央に、外拡開用の折り線２０２が施されている。シート２００は厚紙に銀紙を積層したもの、合成樹脂シートにアルミ被膜を蒸着したものなど任意である。
【００１３】
この筒状鏡体２は、前記筒状本体１に内挿され、中間の辺部２ａが前記筒状本体１の面部１ｂに折り線１０２’、２０２同士が一致するように重ねられ、接着されている。
【００１４】
後端片５は、基本的には４角形状をなし、１縁が前記筒状本体１の前端縁に折り線５０を介して連接されており、中央には覗き穴５ａが形成されている。また後端片５の連接部分を除く少なくとも２つの縁（図示するものでは３縁）には、折り線を介して直角状に起立できる爪片５１、５２、５３が連接されている。
前記爪片のうち、隣り合う２つは、立体化したときの筒状本体１の開口内側面に沿うように押し込まれ、残る１つの爪片５３は、立体化したときの筒状鏡体２の開口内側面に沿うように押し込まれるようになっている。
【００１５】
前端片３は、基本的には、四角形片の１辺から対向する辺縁の中央に頂点が到るように多角形（この例では３角形）の切欠き３ａを施した形状をなし、１縁が前記筒状鏡体２の前端縁に折り目３０を介して連接されている。切欠き３ａは前記筒状鏡体２の断面と形状、寸法がほぼ一致している。
【００１６】
前記前端片３の２辺縁部には折り線を介して直角状に起立できる２つの爪片３１、３２が設けられている。この例では、第１の爪片３１が切欠き３ａの頂点がある辺に、第２の爪片３２が隣接する辺にそれぞれ設けられており、立体化したときの筒状本体１の開口内側面に沿うように押し込まれるようになっている。
【００１７】
前記円盤４は、透光性の材料たとえば塩化ビニールなどのプラスチックで構成されており、表面には所望の多種の色彩をもつ絵柄、模様などのオブジェクト（具）４ａが直接的な印刷的手法であるいはラミネート形式などで施されている。この例ではさまざまな姿勢をしたサンタクロースやこれにまつわる事物が間隔的に描かれている。
【００１８】
円盤４は、中心が前端片３の切欠き３ａの頂点付近に位置するように回転自在に支持されている。
円盤４は直接前端片３に支持させてもよいが、この例では、図３と図４のように、前端片３の背後に透明プラスチックからなる支持片３’を接着している。該支持片３’は前端片３の上縁よりも上位のレベルに延びる部分３００を有し、ここに通孔３０１が設けられている。そして、この通孔３０１に円盤４の中心孔４０を合わせ、それら孔に支軸要素８が通され、円盤４を回転自在に支持している。
支軸要素８はハトメでもよいし、頭部８０に屈曲可能な脚片８１を設けた割りピンなどであってもよい。
【００１９】
図示するものは本発明の一例であり、これに限定されるものではない。
１）本発明は筒状本体１の立体時の断面形状を４角形とし、筒状鏡体２の立体化時の断面形状を３角形としているが、これに限定されるものではない。
２）後端片５は、覗き穴５ａの部分に透明なシートを貼り付けていてもよい。こうすることで、ほこり等の侵入を防止できる。
【００２０】
３）支軸要素８は割りピンを用いて着脱可能としてもよく、そうすれば、異なるオブジェクト４ａをあらわした円盤と交換することができるので、さまざまな不思議な模様を楽しむことができる。また、飽きて廃棄する時にも、簡単に紙質とプラスチック質の部品に分別することができる。
４）また、本発明はクリスマス用に限らず、正月用、バレンタイン用、暑中見舞い用、誕生日、結婚式などさまざまなときのための万華鏡とすることができる。
【００２１】
【実施例の作用】
本発明による万華鏡は、販売時には、前端片３と後端片５が筒状本体１から延出されるように平面化され、円盤４も前端片３と重合するように位置される。そして、筒状本体１を圧迫すれば、折り線によって扁平状に畳まれ、筒状鏡体２も筒状本体１内で折り線によって扁平状に畳まれる。したがって、全体の嵩が小さく、台紙などに置いて包装することによって平たいコンパクトな状態となり、展示、運搬、保存に場所を取らず容易に行なえる。
【００２２】
製作上も、たとえば円盤４と支持片３’以外を紙質材料で作ることができ、部品数も少ないので、安価なものにすることができ、図８と図９のシート１００，２００と円盤４および支軸要素８を折畳み型万華鏡キットとすることもでき、子供が自分で簡単な工作で製作までも楽しむことができる。
シート１００，２００による筒状本体１と筒状鏡体２の組み立ては、シート１００，２００をそれぞれ折り線に従って折り、縁部を貼りで足り合わせて独立した２部品とし、筒状鏡体２を筒状本体１の筒内に挿入して１辺２ａを筒状本体１の１辺１ｂに貼り付けてもよい。これに代え、シート１００，２００をそれぞれ折り線に従って折り、この状態で筒状鏡体用のシート１００を筒状本体用のシート２００に重ね、１辺２ａを筒状本体１の１辺２ｂに貼り合せ、ついで、筒状鏡体用のシート１００を折り、縁部を張り合わせて筒とし、それから筒状本体用のシート２００を折って、縁部を張り合わせて筒としてもよい。
【００２３】
筒状本体１の一面にはメッセージ表示部７が設けられているので、購買者は送り人、受取人あるいはメッセージを記載することができ、このときには筒状本体１は扁平であるから、記載作業が容易である。
送られたものが使用するときには、筒状本体１の両側面をつかんで押圧する。こうすれば、筒状本体１は折り線を介して４角形状に立体化し、筒状鏡体２は１辺２ａが筒状本体１の内面に重合接着されているので、筒状本体１の立体化と同時に筒状鏡体２も三角状に立体化する。
【００２４】
ついで、後端片５を筒状本体１の開口に近づくように折り線５０を介して９０度屈曲すれば、後端片５に折り線を介してほぼ９０度屈曲されている爪片５１、５２、５３が筒状本体１の開口に進入し、２つの爪片５１、５２が筒状本体１の内側に接し、残る爪片５３が筒状鏡体２の内面に接するように進入する。
【００２５】
本発明は扁平化のために６角形状に畳まれるよう筒状本体１と筒状鏡体２の１辺１ｂ、２ａを幅方向中央部で折り畳める構造としているが、幅方向中央に折り目がない爪片５３がここに侵入することで中央折り目１０２’、２０２が伸ばされ、意図する正方形断面に矯正することができる。
【００２６】
また、前端片３を筒状本体１の開口に近づくように折り線を介して９０度屈曲すれば、前端片３に固定されている支持片３’および円盤４も一緒に筒状本体１の開口に対向するように移動される。
そして、前端片３に折り線を介してほぼ９０度屈曲されている爪片３１，３２が筒状本体１の開口に進入するので、簡単な操作で、前記後端片５とで筒状本体１および筒状鏡体２の立体化がしっかりと固定され、筒状鏡体２の端面輪郭と前端片３の切欠き３ａの輪郭とが整合する。
【００２７】
これにより図１の状態になるので、後端片５の覗き穴５ａから内部を覗けば、切欠き３ａを通して円盤４がのオブジェクト４ａが視認され、円盤４を通した光により三角形断面の筒状鏡体２の各面で反射されるので、不思議な画像を楽しみことができる。さらにこの状態で円盤４の周縁に指を当てて回動すれば、オブジェクト４ａを構成する多様な絵柄や模様等が円盤４の回動に応じて切欠き３ａに順次臨むので、逐次視覚される模様が変化し、きわめて面白みのある不可思議な画像を楽しむことができる。
【００２８】
切欠き３ａには支持片３’がバックアップしているので、円盤４のゆがみが生じにくく、また、支持片３’は透明であるので、視覚を損なうことなく切欠き３ａをふさいで筒状鏡体２内へのほこりの侵入を防止できる。
【００２９】
このように万華鏡を楽しみ終わったら、前端片３と後端片５を引き出し、筒状本体１を圧迫すれば、再び図５と図６のような扁平形態に戻るので、保管等が容易である。
【００３０】
【発明の効果】
以上説明した本発明の請求項１によるときには、不使用時には平たいコンパクトな形態に畳んでおくことができ、使用時には簡単な操作で立体化して万華鏡として楽しむことができ、構造も簡単で安価に製造できるなどのすぐれた効果が得られる。
【００３１】
請求項２によれば、カードの一種として使用できるというすぐれた効果が得られる。
請求項３によれば、支持片３’がバックアップしているので、円盤４のゆがみが生じにくく、また、支持片３’は透明であるので、視覚を損なうことなく切欠き３ａをふさいで筒状鏡体２内へのほこりの侵入を防止できるというすぐれた効果が得られる。
【図面の簡単な説明】
【図１】本発明による折畳み型万華鏡の一実施例を示す斜視図である。
【図２】図１のＩＩ−ＩＩ−線に沿う断面図である。
【図３】図１のＩＩＩ−ＩＩＩ線に沿う断面図である。
【図４】前端部分の分解斜視図である。
【図５】（ａ）は折畳み状態の平面図、（ｂ）は断面図である。
【図６】折畳み状態の背面図である。
【図７】（ａ）（ｂ）は立体化途中の状態を示す斜視図である。
【図８】本発明における筒状本体の素材を展開状態で示す平面図である。
【図９】本発明における筒状鏡体の素材を展開状態で示す平面図である。
【符号の説明】
１    筒状本体
２    筒状鏡体
３    前端片
３ａ  切欠き
３’  支持片
４    円盤
４ａ  オブジェクト
５    後端片
５ａ  覗き穴
７  メッセージ表示部
３１，３２  爪片
５１，５２，５３  爪片
【図１】
2004354926.tif 000003
【図２】
2004354926.tif 000004
【図３】
2004354926.tif 000005
【図４】
2004354926.tif 000006
【図５】
2004354926.tif 000007
【図６】
2004354926.tif 000008
【図７】
2004354926.tif 000009
【図８】
2004354926.tif 000010
【図９】
2004354926.tif 000011